(57)【要約】      （修正有）【課題】今日、クレー射撃も小鳥類の狩りも殆ど行われていない。何故なら、火薬を使用する銃砲は、銃身と弾丸の熱膨張係数の相違から弾丸が焼け付き気味で銃身の寿命は大変短く、弾薬が極めて高価である。これらを解決しないと、銃が娯楽スポーツ用具として普及することは無い。【解決手段】そこで、弾薬銃は、弾丸にリングを嵌めて、また、銃身に適当な孔を設け、弾丸の銃身腔内の驀進による空気吸引力を利用して、潤滑油が銃身腔内に霧となって吸引されるようにして、一の課題を解決した。また、弾薬銃を空気銃化し、動力空気圧縮アタッチメントを付属させるようにして、この問題を解決した。  また、護身用や警護用には、殺害能力の無い傷害能力だけの、口径零点２０インチくらいの拳銃を新しく開発することにした。【選択図】なし【特許請求の範囲】
【請求項１】
銃砲の弾丸に、銃砲身のシリンダーと弾丸との熱膨張率の差を調節して、そのシリンダーの損傷を防止するように、一環あるいは二環のピストンリングのようなリングを、その為の弾丸の溝に、嵌めた、ｒｉｎｇ  ｂｕｌｌｅｔあるいは（ａｒｔｉｌｌｅｒｙ）ｒｉｎｇ  ｓｈｅｌｌと呼ぶことにする、嵌環弾丸。
【請求項２】
銃砲の銃砲身のシリンダー内に潤滑油を塗布したい。銃砲身における弾薬を装填した場合の弾丸の位置に当る所の銃砲身に、適当な太さの空気吸入孔を設けて、弾丸のシリンダー内の驀進によって空気を吸入しうるようにし、その吸引力によって、エンジンの気化器のように、潤滑油を霧化してシリンダー内に吸引塗布するようにした、ｌｕｂｒｉｃａｔｅｄ  ｃｙｌｉｎｄｅｒ  ｇｕｎｓと呼ぶことにする、銃砲身腔塗油式銃砲。
【請求項３】
護身用や警護用の拳銃を「殺人銃」から「活人銃」（活人剣とは、不義・不正・迷い等を切り捨て、人を生かす正しい剣から）に革新したい。従来のピストルは、今知りうる範囲では、口径が零点５０〜３８インチくらい即ち１．２７〜０．９６５２ｃｍくらいまでの太さである。つまり、大体において、ライフルの口径と同じくらいである。ライフルは遠距離用でありピストルは至近距離用であるが、結果的には同じくらいの殺力を持っていると言える。
これでは、今日流の正当防衛論には適さない。相手の暴力を中止させるまでが正当防衛の範囲であり相手を殺すことは過剰防衛と解される。
従って、護身用や警護用の拳銃は、殺害力の殆ど無い零点２０インチくらいの物をここに提案したい。
以上のような思想に基づく以上のように構成された、「活人銃」（ｒｅｆｏｒｍａｔｉｏｎ  ｐｉｓｔｏｌ）と呼ぶことにする、護身用や警護用の拳銃。
【請求項４】
「請求項３」における「護身用や警護用の拳銃」において、空気銃式にＢｏｍｂｂｌｅｉｎ  ｒｅｑｕｅｆｉｅｄ  ｇａｓ（カセット液体ガス）を装着しうるようにした、そして「請求項１」における嵌環弾丸を使用しうるした、ｇａｓ  ｐｉｓｔｏｌと呼ぶことにする、「護身用や警護用のガス拳銃」。
【請求項５】
「請求項１」における「嵌環弾丸」および「請求項２」における「銃砲身腔塗油式銃砲」における発明思想を「散弾銃」に応用したい。
そこで、散弾は莢に包んで銃口近くに装填し、その散弾は、嵌環弾丸に代えた「頭の平らな嵌環弾丸」すなわち「嵌環活塞」を装着した弾薬によって、嵌環活塞を発射しうるようにし、その嵌環活塞が自己と「散弾莢」との間の空気を圧縮する訳であるが、その圧縮空気によって散弾が発射され、莢は嵌環活塞が跳ね飛ばすようにしたい。
その場合、それらの飛び出し力を弱める為に、銃口の近くの銃身に適当な孔を設けて発射火薬の爆発気体を一部抜きたい。その一部排気孔は散弾莢が飛び出す前には覆って居るものとする。その為、散弾莢は、散弾の体積の長さより長くしても宜しい。
勿論、「請求項２」のような銃身腔内潤滑油塗布式とする。
従来の散弾銃の散弾の焼け付き性を回避する為に、以上のように構成された、（ｆｉｒｅ  ａｉｒ）  ｈｙｂｒｉｄ  ｓｈｏｔｇｕｎと呼ぶことにする、焼け付き防止性散弾銃。
【請求項６】
従来の空気銃は、口径で４．６ｍｍ（０．１８インチ）〜７．６ｍｍ（０．３０インチ）くらいの範囲で製造されているらしい。しかし、散弾空気銃と言う物は知らない。
この単弾空気銃の内、適当な口径の物において、散弾を撃ちうるように、「莢入り散弾」が欲しい。
しかし、従来の空気銃では、不満足な所や不適応の所があれば、適当な散弾空気銃の銃と「莢散弾」とを開発したい。勿論、「請求項２」における「銃身腔塗油式」で以て。
以上のような希望に応えうるように構成された、雀撃ち等用の  ａｉｒ  ｓｈｏｔｇｕｎと呼ぶことにする、莢散弾と散弾空気銃。
【請求項７】
「請求項６」における「散弾空気銃」を含めて、可能な範囲の総ての「弾薬銃砲」を空気銃化」したい。
それには、単発式は兎も角連発式では、連発毎の空圧が一定していなくては成らないのではあるが、カセット圧縮空気式では漸次圧力が減少して行きどうも不味いので、空気圧縮部分を外部アタッチメントとして安定した圧力の圧縮空気の供給を受け得るようにして、空気銃化し得た空気銃の利用範囲を拡大すると友にその使用頻度を高めたい。
大型銃あるいは砲には設置型の動力空気圧縮機を小型銃には身体携帯型の動力空気圧縮機をアタッチメントとして使用しうるようにしたい。
「身体携帯用動力空気圧縮アタッチメント」は、電動とする以外にあるまいが、その電源としては、現在の乾電池や蓄電池に勿論であるが、それらに加えて、擬似乾電池型では無い鉛蓄電池型の液体型のリチューム蓄電池やアルミ蓄電池そして電離性ガス排気型電池（電離性ガス再利用型電池（特願２００４−３３６６６５）を参照のこと）などを開発して使用したい。
以上のように構成された、Ｃｏｍｐｒｅｓｓｏｒ  （ａｔｔａｃｈｅｄ）  ａｉｒ  ｇｕｎと呼ぶことにする、動力空気圧縮機附属型空気銃。
【請求項８】
現在、殺傷能力の無い、ａｉｒ・ｇａｓ・電動をパワーソースとする所謂（ｔｏｙ）ａｉｒ  ｇｕｎと呼ばれている、精巧な玩具銃がある。その中のｔｏｙ  ｐｉｓｔｏｌをｓａｌｏｎｂａｒ（バー）やｓａｌｏｎ  ｐｕｂ（パブ）などにおいて、暇潰しの遊戯用に提供したい。
これらの銃のタマは０．２ｇの重さでＢＢＢｕｌｌｅｔと呼ばれている。これは、ダーツにおけるダートのように標的に刺さらないので、そこでバレットが標的に付着するようにしたい。
そこで、ｔｏｙ  ｐｉｓｔｏｌのみならず総てのｔｏｙ  ｇｕｎ用に、必要に応じて種々な適当な  標的（板）の表面に、透明性の高い、蝿捕り紙の「ねばる薬液」のような「粘着性液体」を塗り、その上を「粘着拒否性の紙」で覆い、使用に際してはその覆いを剥いで使用するようにして、各種の用途に応じうるようにした、ＢＢｔａｒｇｅｔｂｏａｒｄと呼ぶことにする、玩具銃用標的盤。
【発明の詳細な説明】
【発明の詳細な説明】
私は、過日（１４／１１／１８）、クレー射撃を復活したい、その為には射撃費用を少しでも安くしたい。信管を撃鉄で打つ従来の方式では、薬莢が高く就いていようと、「電気起爆点火銃」（特願２００２−３７３２５４）を出願した。
未だ、どこにも相談をしてはいないので、これでどの程度弾薬が安くなるのか、今のところはっきりしない。
その下調べの際、クレー射撃用の銃の寿命が大変短いものであることを知った。赤尾好夫氏の著書にだったか、銃身は３０００発しかとか持たない、とあった。クレーで、トラップ競技では、一試合１００発だそうだ。これだと、３０試合で銃身を交換しなくてはならないことになる。一日に５試合を楽しめば、６日で、即ち１週間から少なくとも１カ月間では、銃身交換を専門店に依頼しなくてはならないことになる。少なし二丁の銃を愛用しなくてはならない。
上記の発明の折には、この問題を解決する妙案が出なかった。その後も、この問題には常に心を止めていて、もう半年も経とうか、クレー射撃用空気銃を考案した。早速、単弾の空気銃を研究用に購入しようと、所謂「銃刀所持法」すなわち「銃砲刀剣類所持等取締法」の第４条第１項第３号「政令で定める試験又は研究の用途に供するため必要な銃砲を所持しようとする者」には施行令第１条の２に「法第４条第１項３号の政令で定める試験又は研究は、第１号又は第２号のいずれか及び第３号に掲げる要件を具備したものとする」とあり、私の欲する空気銃は狩猟および標的射撃に使用する為のものであるので、第１号「他の製造に係る銃砲を使用して行う銃砲、銃砲弾の性能の試験で、銃砲、銃砲弾の国産化の促進、性能又は品質の改善その他生産の合理化に資するものである旨の国の関係行政機関（内閣府設置法（平成１１年法律第８９号）第４９条第１項及び国家行政組織法（昭和２３年法律第１２０号）第３条第２項に規定する機関をいう）又は地方支分局の長の証明を受けたもの」とあるので、県警察や通産局を訪ねて、「地方支分局長」の証明を取ろうとしたが、誰もその「局長」がどの省のどの局に属するのか回答できる者がいない。仕方なく、経済産業省の本局に尋ねて見たが、返答できる者は誰も居なかった。仕方なく、特許出願が出来ず、そのまま、今日に至っている。
競技用や軍隊の練習用には、上記の空気銃を色々と開発するのであるが、それらは動力空気圧縮機を使用する物なので、勿論携帯には向かない。携帯用では弾薬式は欠かせない。弾薬を使用して、従来の物より遙に持ちの良い銃砲を開発したいと考案した発明が本発明である。
すなわち、私の想像では、耐用回数が少ないと言うのは、恐らく火薬爆発による高温の上に摩擦熱が加わって、銃腔より弾丸の膨張が大きく成るからに違い無い。特定の銃身に対して特定の弾薬が用意されうれば、可なり問題は解決されようが、そう言う方法は採られて居ないようである。
また、散弾銃でも、上記のライフル型と同じく、散弾が爆発熱と摩擦熱とによって融着することに、トラブルの因が有るのであろう。
そこで、ライフル弾では、先ず、どうかして銃腔内に潤滑油を塗布したい。そして、膨張の違いを調節してくれる、エンジンのピストンリングのような調節環（小銃では、ｂｕｌｌｅｔ  ｒｉｎｇ、砲弾では（ａｒｔｉｌｌｅｒｙ）  ｓｈｅｌｌ  ｒｉｎｇと呼ぶことにする）を設けて見たい。
競技用の散弾銃では、散弾を銃口に装着して、薬莢に弾頭の尖らない平たい上記のようなリング弾丸を装着して、その発射された弾が銃腔における銃口の散弾との間の空気を瞬間的に圧縮してその圧力で以て発射するようにして見たい。勿論散弾と友にその発射用弾も飛び出すことになる。
この発射用弾が余り遠くに飛ば無い方が好いので、散弾莢が塞いで居るように銃身の銃口付近に孔を設け、散弾莢が飛び出した後に開いた孔から火薬の爆発気体が抜けて弱まるようにして見たい。
そして、潤滑油の塗布は、弾薬を込めた場合の弾丸に当る部位に適当な大きさの空気吸入孔を明け、弾丸が発射されて銃腔を走り出すと空気を吸引するようにして、その吸引力で以て潤滑油が霧状に銃腔内に吸引されるようにしたい。自動車の気化器のようにである。
色々、関係者と友に研究開発して見て、上手く作れることが確定すれば、あらゆる銃砲を次々に革新して行きたい。
なお、拳銃であるが、従来の物は、一発で殺せる能力を持っているように、最低でも口径零点３８インチ（０．９６５２ｃｍ）の大きな弾丸を使用する物であった。しかし、戦場では兎も角、平時の市中警護用とか一般個人の護身用では、相手を殺害して仕舞うと言う物である必要は無い。素手で襲い掛かって来た場合の運動能力を中断しうる物であれば宜しい訳であるから、従来のように大きな口径のピストルは実際面では使用できないことが殆どである。これを口径を空気銃くらいにして、警護や護身に実用できるようにしたい。
可能ならば、その様な小口径の「空気拳銃（ａｉｒ  ｐｉｓｔｏｌ）」を開発したい。ガスボンベを使用する物は勿論であるが、弾薬の装薬を液体炭酸ガスなどの液体ガスにすることは出来ないかと思っている。
今日までの人間社会を支配するボスの武器は、人間の感覚や頭脳を狂わすことの可能な電磁波であった。しかし、私の発見発明によってこの電磁波は完全に防御できることになった。市中の暴れ者がこの電磁波防御装備をし始めると電磁波警備は全く実用性は無くなる。その日は遠いことでは無い。
警察や軍隊は、電磁波武装からそれ以前の火器武装に転換することを急いで研究しなくてはならない。警備用は勿論戦闘用としても、武器は殺す目的の物から運動能力を削ぐ物に転換して行かなくてはならない。時代の進歩の要請である。
水平同和主義でもって何も彼も御すと言う時代はもう既にとっくに終っている。どんな生活局面においても、誰もが紳士淑女としてのイーブン対等な取り引き関係に立って経済しなくてはならない時代を迎えている。
公務員組織とか政党組織とかに、国民は、自己の生活を防衛してもらう為に莫大なコストを掛けて見たが、結局、それら組織が上から下まで学問学習の足りない粗悪な人物の集合体となり、法律の悪用と電磁波で以て地域々々の食えない下層貧民を操縦しては大なり小なりの犯罪すなわち公金を掴み取ったり公用地買収費を横領したりするなどに堕落して仕舞っている。
組織としては存在しても、それが自己の財産としての裏打ちがされておらず他人の財産を管理したり運用するだけの組織なので、詰まり組織の個人々々が経営の結果に対して自分の腹がちっとも痛まない組織なので、結局、盗人の集合体に帰して仕舞うと言うことが全国民・全人類の前に証明される事態となっている。
それぞれの個人が知的・物的財産や能力を自己の責任で防衛せざるを得ないことが証明されてきた。財産や知能のある人たちは全体から見れば小数である。この小数が自己の所有権を守るには、自己の浮沈に辺りが依存している社会とならなくてはならない。アダムスミスが述べているように、公的組織は国や個人の警備のみの範囲に収め、個人のことは個人の経済の然らしめる所に納まるようにするのが何よりの国の在り方であろう。
今日、警察署には、犯罪予防課は無くなり生活安全課とかとなり、貧乏人の分限者に対する犯罪には予防活動はしないと言う、「高き山を削り低き谷を埋める」と言うキリスト教的隣人愛主義に、端的にはマーチン・ルーター・キング牧師主義に、日本的には水平同和主義に染まり陥落して仕舞っている。
その結果、彼らの存立費用を賄う「高き山」たちは総て亡ぼされて仕舞い、存立経費を負担しうる階級は今や私以外には展望できなくなって仕舞っている。
早晩、警察組織は、私の提案している「公共組織再生機構」によって、解体されて仕舞い、再生するとすれば、私権警護組織化することになるのではあるまいか。
そうならない場合には、「犯罪予防鎮圧機能」は、それぞれの個人が自己防衛の為の「警護組織」を組織することになろう。何と言おうと、現に私のような「高き山」に対しては、警察は、適当な範囲内ではあるが、犯罪を煽るだけに終始し、犯罪の予防鎮圧をいくら要望しても全く馬耳東風の態を決め込んでいる。これを「政治警察」あるいは「恐らく外国の電磁波メーカーによる賄賂漬け警察」と言うらしい。
これからは、全世界の拳銃メーカーの圧力によって、警護組織も個人も当然の権利として、上記のような「護身用拳銃」を携帯しうるようになろう。「電磁波メーカー」の賄賂によって、今日の政府を始めとする「公共の犯罪の組織化」は形成されて来た。そして、今や二進も三進もならなくなってしまっている。「ｓｅｌｆｄｅｆｅｎｄ  ｐｉｓｔｏｌ」が銃メーカーの圧力によって、陰湿な悪魔のような「電磁波」に取って代って、何故悪いのか、と言うことになるのは当然であろう。増してや、電磁波支配の為に「護身用ピストル」が禁止されていたと言うのならばである。勿論、当然自動車免許のように、拳銃免許は厳重に管理されることが必要である。
姿を隠して自己を市民に曝さず電磁波に乗っての暗黒支配をベースとする社会の陰険さ不安さには、人類に宗教的な終末思想を強要している。これらの卑怯者たちを白日の下に晒け出し、山中になりと追放しなくては成らないのではなかろうか。
政治や経営は、ＩＴ主義では無く対面主義でなくてはならない。そう言う意味で、対面力の無い者たちの電磁波同和主義時代は、完全にｄｅａｄｌｏｃｋに乗り上げた。
役所も軍隊も民間組織も、部屋の隅々にまで占めている夥しいパソコンを総て廃棄して仕舞い、市民の中に飛び出して行こう。そうして、総てをライブ（生）で行こう。そこに、どうしても「護身」の為にと、物理的力の援助が必要ならば、ぜひ本護身用ピストルを携帯できる社会体制を提供したい。
【手続補正書】
【提出日】平成17年2月12日(2005.2.12)
【手続補正１】
【補正対象書類名】特許請求の範囲
【補正対象項目名】全文
【補正方法】変更
【補正の内容】
【特許請求の範囲】
【請求項１】
スチームバスｓｔｅａｍ  ｂａｔｈにおいて、腰掛けて座して、首から上だけが出ているだけの「蒸気箱ｓｔｅａｍ  ｂｏｘ」に蒸気を送る方法として、水を電動噴霧機で以て霧状とし、それをマグネトロン（磁電管）の高周波やその他の方法で以て適当に加熱してファン（送風機）で以てスチームボックスに送るようにした、高周波加熱型スチームバス用蒸気生成送気装置。
【請求項２】
スチームバスにおける等の鍵錠システムとして、自動車運転免許証や本発明におけるスチームバス従業免許証のような公的な免許証を、鍵として使用し、それが鍵穴に差し込まれる錠前の機構としては、鍵としての免許証の符牒を照合確認し、その免許証の「写しｃｏｐｙ」を、又時刻を、撮って内部に記録保管すると、開錠して、鍵としての免許証が鍵穴から返却されるようにするを基本形とした、使用された鍵の証拠を取って置くことによって、「より防犯性を高めた」、ｅｖｉｄｅｎｃｅ  ｋｅｙ−ｌｏｃｋ  ｓｙｓｔｅｍと呼ぶことにする、公的免許証使用鍵錠システム。
【請求項３】
スチームバスにおける等の按摩機として、先端が親指大の（指）圧子が電動カムによって適当な速度で出入りするようにした（指）圧棒に、直角に両手用の棒のハンドルを設けた、ｓｔｉｆｆｅａｓｅｒ  と呼ぶことにする、按摩機。